(57)【要約】【課題】可変形状保持装置の提供。【解決手段】本考案は一種の可変形状保持装置に関わるもので、第１腕板、第２腕板および接続部材を設ける。第１腕板に第１挟み腕と第２挟み腕を設け、第１挟み腕は電子装置を保持する。第２腕板に、第３挟み腕と第４挟み腕を設ける。接続部材ヒンジ(Ｈｉｎｇｅ)の一端は第１挟み腕に固定し、他端は第３挟み腕に固定して置き、第１腕板と第２腕板を回転軸運動により回転後の角度に固定させる。【選択図】図１
0003121036.tif 000002
【実用新案登録請求の範囲】
【請求項１】
一種の可変形状保持装置であり、第１腕板及び第２腕板を含み、第１腕板は異なる平面上に設ける第１挟み腕と第２挟み腕を包含し、そのうち、第１挟み腕は電子装置を設置し、
第２腕板は異なる平面上に設ける第３挟み腕と第４挟み腕を含み、第３挟み腕は回転により第１挟み腕と接続し、第３挟み腕と第１挟み腕を回転運動後の角度に固定し保持できる一種の可変形状保持装置を実現することを特徴とする可変形状保持装置。
【請求項２】
請求項１記載の保持装置において、第１腕板の形状はＬ字型であることを特徴とする可変形状保持装置。
【請求項３】
請求項１記載の保持装置において、第２腕板の形状はＬ字型であることを特徴とする可変形状保持装置。
【請求項４】
請求項１記載の保持装置において、ヒンジ(Ｈｉｎｇｅ)、その一端は第１挟み腕に固定し、他端は第３挟み腕に固定することを特徴とする可変形状保持装置。
【請求項５】
請求項１記載の保持装置において、歯車部材、第１挟み腕に設け、電子装置に接続し、歯車部材は円周方向の回転により、電子装置を回転させることを特徴とする可変形状保持装置。
【請求項６】
請求項１記載の保持装置において、滑り止めシート、第４挟み腕に設けることを特徴とする可変形状保持装置。
【請求項７】
請求項１記載の保持装置において、滑り止めシート、第２挟み腕に設けることを特徴とする可変形状保持装置。
【請求項８】
請求項１記載の保持装置において、補助棒架台、第４挟み腕に設けて、安定の固定効果を強化することを特徴とする可変形状保持装置。
【請求項９】
請求項１記載の保持装置において、電子装置は撮影機、デジタルカメラ、画像捕捉装置のいずれであることを特徴とする可変形状保持装置。
【請求項１０】
一種の可変形状保持装置であり、第１腕板、第２腕板及び接続部材を含み、第１腕板に第１挟み腕と第２挟み腕を設け、第１挟み腕は電子装置を保持し、第２腕板１３は互いにＬ字型を呈する第３挟み腕１３１と第４挟み腕１３３を設け、接続部材は第１腕板と第２腕板を接続させ、第１腕板と第２腕板を自由に移動可能とし、移動後の角度に固定できることを特徴とする可変形状保持装置。
【請求項１１】
請求項１０記載の保持装置において、歯車部材、第１挟み腕に設け、電子装置に接続し、歯車部材は円周方向の回転により、電子装置を回転させることを特徴とする可変形状保持装置。
【請求項１２】
請求項１０記載の保持装置において、滑り止めシート、第４挟み腕に設けることを特徴とする可変形状保持装置。
【請求項１３】
請求項１０記載の保持装置において、滑り止めシート、第２挟み腕に設けることを特徴とする可変形状保持装置。
【請求項１４】
請求項１０記載の保持装置において、補助棒架台、第４挟み腕に設けて、第４挟み腕より引き出せることを特徴とする可変形状保持装置。
【請求項１５】
請求項１０記載の保持装置において、接続部材ヒンジ(Ｈｉｎｇｅ)の一端は第１挟み腕に固定し、他端は第３挟み腕に固定して置き、第１腕板と第２腕板を回転軸運動後の角度に固定し保持することを特徴とする可変形状保持装置。
【請求項１６】
請求項１０記載の保持装置において、電子装置は撮影機、デジタルカメラ、画像捕捉装置のいずれであることを特徴とする可変形状保持装置。
【請求項１７】
請求項１０記載の保持装置において、第１挟み腕と第２挟み腕は互いにＬ字型を呈し、第３挟み腕と第４挟み腕も互いにＬ字型を呈することを特徴とする可変形状保持装置。
【請求項１８】
第１腕板に第１挟み腕と第２挟み腕を設け、第１挟み腕は電子装置を保持し、第２腕板に第３挟み腕と第４挟み腕を設け、第１腕板は第２腕板に接続し、第１腕板と第２腕板は互いに移動でき、移動後の角度に固定し保持する一種の可変形状保持装置を実現することを特徴とする可変形状保持装置。
【請求項１９】
請求項１８記載の保持装置において、第１腕板の形状はＬ字型であることを特徴とする可変形状保持装置。
【請求項２０】
請求項１８記載の保持装置において、第２腕板の形状はＬ字型であることを特徴とする可変形状保持装置。
【請求項２１】
請求項１８記載の保持装置において、ヒンジ(Ｈｉｎｇｅ)の一端は第１挟み腕に固定し、他端は第３挟み腕に固定することを特徴とする可変形状保持装置。
【請求項２２】
請求項１８記載の保持装置において、歯車部材、第１挟み腕に設け、電子装置に接続し、歯車部材は円周方向の回転により、電子装置を回転させることを特徴とする可変形状保持装置。
【請求項２３】
請求項１８記載の保持装置において、滑り止めシート、第４挟み腕に設けることを特徴とする可変形状保持装置。
【請求項２４】
請求項１８記載の保持装置において、滑り止めシート、第２挟み腕に設けることを特徴とする可変形状保持装置。
【請求項２５】
請求項１８記載の保持装置において、補助棒架台、第４挟み腕に設けて、安定の固定効果を強化することを特徴とする可変形状保持装置。
【請求項２６】
請求項１８記載の保持装置において、電子装置は撮影機、デジタルカメラ、画像捕捉装置のいずれであることを特徴とする可変形状保持装置。
【考案の詳細な説明】
【技術分野】
【０００１】
本考案は一種の電子装置(カメラなど)を保持するキャスター、特に様々な厚みの電子機器を掛ける一種の平置きと掛け置き両用の保持装置に関わる。
【背景技術】
【０００２】
特許文献１「再構成可能カメラ・マウント (Ｋｉｎｅｍａｔｉｃａｌｌｙ  Ｒｅｃｏｎｆｉｇｕｒａｂｌｅ  Ｃａｍｅｒａ  Ｍｏｕｎｔ )」に一種の卓上に平置きと電子機器の前後壁面に掛けられる両用の支持装置(Ｓｕｐｐｏｒｔｉｎｇ  Ｄｅｖｉｃｅ)を開示している。その支持装置はフレキシブル脚部材(Ｆｌｅｘｉｂｌｅ  Ｌｅｇｓ)により、形状の変更で水平面に平置きするか、または電子装置に垂直して掛けることができる。しかし、前記の特許文献１はフレキシブルな脚部材を使用するため、折り曲げは僅かな範囲で行われている。前と後ろの肉厚が分厚いまたは薄い電子機器にとって、支持装置としての掛け効果を達成できないことは明らかである。
【０００３】
本考案者は前記の公知技術の欠点に対する改善を着手し、様々な肉厚の電子機器に掛けられる一種の平置きと掛け置き両用の保持装置を考案した。
【０００４】
【特許文献１】アメリ力特許公告６，８４５，９５４Ｂ１号明細書
【考案の開示】
【考案が解決しようとする課題】
【０００５】
本考案の主な目的は、電子装置を保持し、様々な肉厚の電子機器を平置きと掛け置き使用できる一種の可変形状保持装置を提供する。
【０００６】
本考案は一種の可変形状保持装置に関わるもので、主に第１腕板、互いにＬ字型を呈する第１挟み腕と第２挟み腕を設け、第１腕板は電子装置を保持する、第２腕板は互いにＬ字型を呈する第３挟み腕と第４挟み腕を設ける、接続部材、第１腕板と第２腕板を接続させ、第１腕板と第２腕板を移動可能に設け、移動後の角度に保持し前記の目的を実現する。
【課題を解決するための手段】
【０００７】
請求項１の考案は、一種の可変形状保持装置であり、第１腕板及び第２腕板を含み、第１腕板は異なる平面上に設ける第１挟み腕と第２挟み腕を包含し、そのうち、第１挟み腕は電子装置を設置し、
第２腕板は異なる平面上に設ける第３挟み腕と第４挟み腕を含み、第３挟み腕は回転により第１挟み腕と接続し、第３挟み腕と第１挟み腕を回転運動後の角度に固定し保持できる一種の可変形状保持装置を実現することを特徴とする可変形状保持装置としている。
請求項２の考案は、請求項１記載の保持装置において、第１腕板の形状はＬ字型であることを特徴とする可変形状保持装置としている。
請求項３の考案は、請求項１記載の保持装置において、第２腕板の形状はＬ字型であることを特徴とする可変形状保持装置としている。
請求項４の考案は、請求項１記載の保持装置において、ヒンジ(Ｈｉｎｇｅ)、その一端は第１挟み腕に固定し、他端は第３挟み腕に固定することを特徴とする可変形状保持装置としている。
請求項５の考案は、請求項１記載の保持装置において、歯車部材、第１挟み腕に設け、電子装置に接続し、歯車部材は円周方向の回転により、電子装置を回転させることを特徴とする可変形状保持装置としている。
請求項６の考案は、請求項１記載の保持装置において、滑り止めシート、第４挟み腕に設けることを特徴とする可変形状保持装置としている。
請求項７の考案は、請求項１記載の保持装置において、滑り止めシート、第２挟み腕に設けることを特徴とする可変形状保持装置としている。
請求項８の考案は、請求項１記載の保持装置において、補助棒架台、第４挟み腕に設けて、安定の固定効果を強化することを特徴とする可変形状保持装置としている。
請求項９の考案は、請求項１記載の保持装置において、電子装置は撮影機、デジタルカメラ、画像捕捉装置のいずれであることを特徴とする可変形状保持装置としている。
請求項１０の考案は、一種の可変形状保持装置であり、第１腕板、第２腕板及び接続部材を含み、第１腕板に第１挟み腕と第２挟み腕を設け、第１挟み腕は電子装置を保持し、第２腕板１３は互いにＬ字型を呈する第３挟み腕１３１と第４挟み腕１３３を設け、接続部材は第１腕板と第２腕板を接続させ、第１腕板と第２腕板を自由に移動可能とし、移動後の角度に固定できることを特徴とする可変形状保持装置としている。
請求項１１の考案は、請求項１０記載の保持装置において、歯車部材、第１挟み腕に設け、電子装置に接続し、歯車部材は円周方向の回転により、電子装置を回転させることを特徴とする可変形状保持装置としている。
請求項１２の考案は、請求項１０記載の保持装置において、滑り止めシート、第４挟み腕に設けることを特徴とする可変形状保持装置としている。
請求項１３の考案は、請求項１０記載の保持装置において、滑り止めシート、第２挟み腕に設けることを特徴とする可変形状保持装置としている。
請求項１４の考案は、請求項１０記載の保持装置において、補助棒架台、第４挟み腕に設けて、第４挟み腕より引き出せることを特徴とする可変形状保持装置としている。
請求項１５の考案は、請求項１０記載の保持装置において、接続部材ヒンジ(Ｈｉｎｇｅ)の一端は第１挟み腕に固定し、他端は第３挟み腕に固定して置き、第１腕板と第２腕板を回転軸運動後の角度に固定し保持することを特徴とする可変形状保持装置としている。
請求項１６の考案は、請求項１０記載の保持装置において、電子装置は撮影機、デジタルカメラ、画像捕捉装置のいずれであることを特徴とする可変形状保持装置としている。
請求項１７の考案は、請求項１０記載の保持装置において、第１挟み腕と第２挟み腕は互いにＬ字型を呈し、第３挟み腕と第４挟み腕も互いにＬ字型を呈することを特徴とする可変形状保持装置としている。
請求項１８の考案は、第１腕板に第１挟み腕と第２挟み腕を設け、第１挟み腕は電子装置を保持し、第２腕板に第３挟み腕と第４挟み腕を設け、第１腕板は第２腕板に接続し、第１腕板と第２腕板は互いに移動でき、移動後の角度に固定し保持する一種の可変形状保持装置を実現することを特徴とする可変形状保持装置としている。
請求項１９の考案は、請求項１８記載の保持装置において、第１腕板の形状はＬ字型であることを特徴とする可変形状保持装置としている。
請求項２０の考案は、請求項１８記載の保持装置において、第２腕板の形状はＬ字型であることを特徴とする可変形状保持装置としている。
請求項２１の考案は、請求項１８記載の保持装置において、ヒンジ(Ｈｉｎｇｅ)の一端は第１挟み腕に固定し、他端は第３挟み腕に固定することを特徴とする可変形状保持装置としている。
請求項２２の考案は、請求項１８記載の保持装置において、歯車部材、第１挟み腕に設け、電子装置に接続し、歯車部材は円周方向の回転により、電子装置を回転させることを特徴とする可変形状保持装置としている。
請求項２３考案は、請求項１８記載の保持装置において、滑り止めシート、第４挟み腕に設けることを特徴とする可変形状保持装置としている。
請求項２４の考案は、請求項１８記載の保持装置において、滑り止めシート、第２挟み腕に設けることを特徴とする可変形状保持装置としている。
請求項２５の考案は、請求項１８記載の保持装置において、補助棒架台、第４挟み腕に設けて、安定の固定効果を強化することを特徴とする可変形状保持装置としている。
請求項２６の考案は、請求項１８記載の保持装置において、電子装置は撮影機、デジタルカメラ、画像捕捉装置のいずれであることを特徴とする可変形状保持装置としている。
【考案の効果】
【０００８】
本考案は一種の可変形状保持装置に関わるもので、第１腕板、第２腕板および接続部材を設ける。第１腕板に第１挟み腕と第２挟み腕を設け、第１挟み腕は電子装置を保持する。第２腕板に、第３挟み腕と第４挟み腕を設ける。接続部材ヒンジ(Ｈｉｎｇｅ)の一端は第１挟み腕に固定し、他端は第３挟み腕に固定して置き、第１腕板と第２腕板を回転軸運動により回転後の角度に固定させる。
【考案を実施するための最良の形態】
【０００９】
図１は可変形状保持装置の好ましい実施例の立面図である。本考案の保持装置１０は、主に第１腕板１１と第２腕板１３を設け、第１腕板１１の一端は第２腕板１３の一端と互いに移動可能な状態で接続する。第１腕板１１はＡ方向で回転し、第１腕板１１と第２腕板１３との挟み角は任意に変更でき、変更後の挟み角度に保持できる。図２に示すものは、本考案の可変形状保持装置が電子機器に挟み込んで使用する態様図である。本考案の保持装置１０は平置き方式のほか、本考案の保持装置１０は第１腕板１１と第２腕板１３の回転軸運動により様々な角度に回転し、好みの角度に保持させ、様々な肉厚の電子機器３０に対応して電子機器３０を確実、安定に保持する。
【００１０】
図３に示すものは本考案保持装置の背面立体図で、図４に示すものは本考案は図３の保持装置を用いて、電子装置２０を保持する好ましい実施例の背面立体図である。第１腕板１１は互いにＬ字型を呈する第１挟み腕１１１と第２挟み腕１１３を設け、第１挟み腕１１１は電子装置２０を保持する。電子装置２０の具体的なものは撮影機、デジタルカメラ、画像捕捉装置などがある。第２腕板１３は互いにＬ字型を呈する第３挟み腕１３１と第４挟み腕１３３を設ける。接続部材１５は第１腕板１１と第２腕板１３を接続した上、第１腕板１１と第２腕板１３を移動可能な状態にし、移動後の角度を保持する。接続部材１５はヒンジ(Ｈｉｎｇｅ)を用いることができる。ヒンジ１５の一端は第１挟み腕１１１に、他端は第３挟み腕１３１それぞれに固定する。ヒンジ１５の回転軸運動で、回転後固定および保持する機能により、第１腕板１１と第２腕板１３を様々な挟み角度を変更し、選択された挟み角度に保持する。
【００１１】
図５に示すものは、本考案の第１腕板に歯車部材を設ける実施態様立面図である。本考案は撮影機のレンズが自由に撮影する位置に移動させるなど、電子装置２０を操作するために必要な位置へ移動するため、第１腕板１１に設ける電子装置２０を回転軸運動式にする。本考案の保持装置１０は、さらに歯車部材１６を第１挟み腕１１１に設け、歯車部材１６の一端は電子装置２０に接続する。歯車部材１６はＢ円周方向に回転されるとき、図１に示すとおり、電子装置２０を連動して回転させる。
【００１２】
保持装置１０の平置き、挟み固定効果を実現し、電子機器３０接触面との摩擦による破損を保護するため、本考案の保持装置１０はさらに、滑り止めシート１１３Ａと滑り止めシート１３３Ａを第２挟み腕１１３と第４挟み腕１３３に設ける。滑り止めシート１１３Ａ、１３３Ａの材質は、軟質ゴムを使用しても良い。
【００１３】
保持装置１０の平置き効果を強化するため、本考案の保持装置１０はさらに、補助棒架台１７を第４挟み腕１３３に設け、補助棒架台１７は第４挟み腕１３３より引き出せるため、平置きの安定効果を強化できる。
【００１４】
本考案の第１腕板１１と第２腕板１３はＬ字型形状に限られない。二次元空間の板体またはフレームが腕板１１、１３の特徴を有するものならば、第１腕板１１と第２腕板１３の実施態様になれる。第１腕板１１と第２腕板１３の材質は、高質プラスチックまたは金属板を使用しても良い。
【図面の簡単な説明】
【００１５】
【図１】本考案の可変形状保持装置の好ましい実施例の立体図である。
【図２】本考案の可変形状保持装置により、電子機器を保持するときの使用状態を示す図である。
【図３】本考案の可変形状保持装置の背面立体図である。
【図４】本考案の図３の保持装置により、電子装置を保持する実施例の背面立体図である。
【図５】本考案の第１腕板に歯車部材を設ける実施例の態様立面図である。
【符号の説明】
【００１６】
１０  保持装置
１１  第１腕板
１３  第２腕板
１５  接続部材
１６  歯車部材
１７  補助棒架台
２０  電子装置
３０  電子機器
１１１  第１挟み腕
１１３  第２挟み腕
１１３Ａ  滑り止めシート
１３１  第３挟み腕
１３３  第４挟み腕
１３３Ａ  滑り止めシート
【図１】
0003121036.tif 000003
【図２】
0003121036.tif 000004
【図３】
0003121036.tif 000005
【図４】
0003121036.tif 000006
【図５】
0003121036.tif 000007